(57)【特許請求の範囲】
【請求項１】
平面形状が正方形である通気性不織布でつくられるベースと、ベース上に接着シールされる複数のポケットを有するプラスチックフィルムを有し、各ポケットは乾燥剤が充填される乾燥剤収納部と、脱臭剤が充填される脱臭剤収納部とを形成し、隣接する乾燥剤収納部と脱臭剤収納部の間に設けられる折り曲げ用のスリットと、ベースの４隅の近傍に設けられる差し込み用のスリットを備えるかつら用脱臭乾燥用具。
【請求項２】
ベースに設けられる差し込み用のスリットが差し込まれる４つの切り込みが円周上に設けられる支持円盤を有し、
中央部が隆起する形状に折り曲げられたベースが差し込まれる請求項１記載のかつら用脱臭乾燥用具。
【請求項３】
ポケットは縦横３列の合計９個形成され、対角線上にならぶ５個のポケットは乾燥剤収納部を構成し、残りの４個のポケットは脱臭剤収納部を構成する請求項１記載のかつら用脱臭乾燥用具。
【請求項４】
中央部に配置する乾燥剤収納部の上面に湿度に応じて変色する湿度センサーを備える請求項１記載のかつら用脱臭乾燥用具。
【請求項５】
支持円盤は、直径寸法の異なる２列の切り込みを有し、内側の切り込みの内側に小径の円盤を切り取るミシン目を備える請求項２記載のかつら用脱臭乾燥用具。
【発明の詳細な説明】
【０００１】
【発明の属する技術分野】
本発明は、かつらの脱臭乾燥とに適したかつら用脱臭乾燥用具に関する。
【０００２】
【従来の技術】
かつらのユーザーは、自宅等では、かつらを外して手入れを行う必要がある。かつらは、着用時の発汗等により、裏側がむれやすく、臭気の発生原因ともなる。
【０００３】
【発明が解決しようとする課題】
本発明は、かつらを裏側から脱臭乾燥するのに適したかつら用脱臭乾燥用具を提供するものである。
【０００４】
【課題を解決するための手段】
本発明のかつら用脱臭乾燥用具は、平面形状が正方形である通気性不織布でつくられるベースと、ベース上に接着シールされる複数のポケットを有するプラスチックフィルムを有し、各ポケットは乾燥剤が充填される乾燥剤収納部と、脱臭剤が充填される脱臭剤収納部とを形成し、隣接する乾燥剤収納部と脱臭剤収納部の間に設けられる折り曲げ用のスリットと、ベースの４隅の近傍に設けられる差し込み用のスリットを備える。
【０００５】
そして、ベースに設けられる差し込み用のスリットが差し込まれる４つの切り込みが円周上に設けられる支持円盤を有し、中央部が隆起する形状に折り曲げられたベースが差し込まれるものである。
【０００６】
また、ポケットは縦横３列の合計９個形成され、対角線上にならぶ５個のポケットは乾燥剤収納部を構成し、残りの４個のポケットは脱臭剤収納部を構成し、中央部に配置する乾燥剤収納部の上面に湿度に応じて変色する湿度センサーを備える。
【０００７】
さらに、支持円盤は、直径寸法の異なる２列の切り込みを有し、内側の切り込みの内側に小径の円盤を切り取るミシン目を備えるものである。
【０００８】
【発明の実施の形態】
図１は、本発明のかつら用脱臭乾燥用具の全体構成を示す平面図、図２は図１の右側面図である。
全体を符号１で示すかつら用脱臭乾燥用具は、通気性を有する不織布でつくられる平面形状が正方形のベース１０と、ベース１０上にポケット状に成形されて溶着されるプラスチック製のフィルム２０を備える。
プラスチックフィルム２０でベース１０上につくられるポケットは、全部で９個あり、この９個のポケットは、５個の乾燥剤収納部３０と４個の脱臭剤収納部４０に区分される。
【０００９】
乾燥剤収納部３０内には、シリカゲル等の乾燥剤が充填されており、収納部３０の表面には通気孔３２が形成されている。
脱臭剤収納部４０内には、活性炭等の脱臭剤が充填されている。活性炭の粉末は、外部へ流出しやすいので、通気孔は設けられていない。
中央部に配置される乾燥剤収納部３０の表面には、湿度センサー７０が取付けられる。この湿度センサー７０は、乾燥剤の湿度を検知して、変色する機能を有する。
【００１０】
不織布でつくられるベース１０は、通気性を有するので、乾燥剤や脱臭剤の機能を損なうことはない。
ベース１０には、乾燥剤収納部３０と脱臭剤収納部４０の間に、折り曲げ用のスリット５０が設けられる。この折り曲げ用スリット５０は、縦方向に６本、横方向に６本設けられる。
ベース１０の４隅の近傍には、差し込み用の短いスリット６０がベースの辺に対して斜方向に設けられる。
【００１１】
図３は、かつら用脱臭乾燥用具１を折り曲げ用スリットを利用してベース１０を直角に折り曲げて曲りぐせをつけ、図４に示すように、湿度センサー７０を取付けた中央の乾燥剤収納部３０が頂部となるように隆起させた状態を示す。
【００１２】
図５は、上述したかつら用脱臭乾燥用具１を支持するための円盤１００の平面図である。
支持円盤１００は、例えばプラスチック板を円盤状に切り抜いたもので、外周部近傍に２組の切り込みが設けられる。
外側に設けられる４個の切り込み１１０は、９０度毎に設けられ、例えば１４０ｍｍの直径寸法を有する。
内側に設けられる４個の切り込み１２０は、外側の切り込み１１０とは位相を４５度変えて設けられ、例えば１３０ｍｍの直径寸法を有する。
さらに内側には、切り取り用のミシン目１３０が設けられる。必要に応じてミシン目１３０に沿って内側の小径円盤部１４０を切り取ることができる。
【００１３】
図６は、かつら用脱臭乾燥用具１を支持円盤１００に差し込んで組立てた状態を示し、図７は図６の要部の拡大図である。
中央部を隆起させたかつら用脱臭乾燥用具の差し込み用スリット６０を、支持円盤１００の切り込み１１０又は１２０に差し込んで組み立てる。
この状態にあっても、円盤１００とかつら用脱臭乾燥用具のベース１０との間には間隔１６０が設けられ、乾燥と脱臭機能は発揮される。
【００１４】
図８は、支持円盤１００の内側の小径円盤を切り取った状態の平面図、図９は使用状態を示す説明図である。
かつらのユーザは、自宅等でかつらを外したときには、頭部の形状につくられたヘッドモデル２００の頂部に、使用後のかつら３００を載せておく。
【００１５】
そこで、支持円盤１００上に組み付けられた本発明のかつら用脱臭乾燥用具１をヘッドモデル２００の頂部に装着し、かつら用脱臭乾燥用具の上に使用後のかつらを載置する。
かつら用脱臭乾燥用具は、かつら３００の裏側から乾燥、脱臭して、次回の使用に備える。
【００１６】
かつら用脱臭乾燥用具の乾燥剤は、吸湿により性能が劣化する。湿度センサー７０は、この吸湿を検知して変色する。
この湿度センサーの変色を見つけたユーザーは、かつら用脱臭乾燥用具をヘッドモデルから取り外して、天日干しする。乾燥剤が除湿されると、湿度センサーは元の色に復帰する。
【００１７】
【発明の効果】
本発明は以上のように、脱臭剤と乾燥剤を備えた装着時の発汗等でむれや臭気の発生を生じやすいかつらを覆せることによって、内側から脱臭と乾燥を行うことができるので、かつらを常時良好な状態に維持することができる。
【００１８】
また、湿度センサーを有し、乾燥剤の吸湿の程度をセンサーの色で表示するので、ユーザーは適宜に天日干し等を実行して、乾燥剤を復帰させることができる。
また、かつら用脱臭乾燥用具を中高状態に隆起させ、リング状の支持円盤に差し込んで支持できるので、かつらを載せるヘッドモデル等に装着させて、かつらを覆せることができ、安定した姿勢で使用することができる。
【図面の簡単な説明】
【図１】本発明のかつら用脱臭乾燥用具の平面図。
【図２】図１の右側面図。
【図３】本発明のかつら用脱臭乾燥用具の組み立て方法を示す説明図。
【図４】本発明のかつら用脱臭乾燥用具の組み立て方法を示す説明図。
【図５】本発明のかつら用脱臭乾燥用具を支持するための円盤の平面図。
【図６】本発明のかつら用脱臭乾燥用具の円盤への取付け方法を示す説明図。
【図７】図６の要部の拡大図。
【図８】本発明のかつら用脱臭乾燥用具を円盤に取付けた状態を示す平面図。
【図９】本発明のかつら用脱臭乾燥用具の使用例を示す説明図。
【符号の説明】
１  かつら用脱臭乾燥用具
１０  ベース
２０  プラスチックフィルム
３０  乾燥剤収納部
４０  脱臭剤収納部
５０  折り曲げ用スリット
６０  差し込み用スリット
７０  湿度センサー
１００  支持円盤
２００  ヘッドモデル
３００  かつら
【図１】
0003813899.tif 000002
【図２】
0003813899.tif 000003
【図３】
0003813899.tif 000004
【図４】
0003813899.tif 000005
【図５】
0003813899.tif 000006
【図６】
0003813899.tif 000007
【図７】
0003813899.tif 000008
【図８】
0003813899.tif 000009
【図９】
0003813899.tif 000010